(57)【要約】【課題】リモコンの小型化またはリモコンを不要とすることを可能としながら多機能に対応することができるとともに、プレゼンテーションを円滑に進行させることができるプレゼンテーションシステムを提供する。【解決手段】プレゼンテーション用機能を表す機能表示８３と、プレゼンテーション用機能と関連付けられたバーコード８４とが表示されたキートップ８２を、ファンクションボード６０に装着された任意のホルダ８１に取り付け、ファンクションキー８０を構成する。キートップ８２を押すと背後の赤外光ランプ８８が点灯しバーコード８４が浮かび上がる。撮像部４０でそのバーコード８４を撮影し、制御部３１が撮影画像データからバーコード８４を識別し、バーコード８４に関連付けられたプレゼンテーション用機能を実行させる。【選択図】　　　　図１５
2004144875.tif 000002
【特許請求の範囲】
【請求項１】
スクリーン等の表示手段に画像を表示するプレゼンテーションシステムにおいて、
プレゼンテーション用機能と関連付けられ、該プレゼンテーション用機能を識別するための媒体として設定される固有情報と、
この固有情報を保持するファンクションボードと、
前記固有情報を有効とする有効化手段と、
この有効化手段で有効とされた固有情報を認識して該固有情報と関連付けられたプレゼンテーション用機能を実行させる制御部とを備えることを特徴とするプレゼンテーションシステム。
【請求項２】
前記ファンクションボードを撮影し、撮影画像が前記制御部に入力される撮像部を備え、
前記固有情報は、数字、記号、バーコード等の画像情報であり、
前記有効化手段は、固有情報の位置を明示し、該明示された位置により、制御部が固有情報の位置または固有情報そのものを撮像部の撮影画像から認識することを特徴とする請求項１に記載のプレゼンテーションシステム。
【請求項３】
前記ファンクションボードを撮影し、撮影画像が前記制御部に入力される撮像部を備え、
前記固有情報は色情報であり、
前記有効化手段は、固有情報の位置を明示し、該明示された位置により、制御部が固有情報の位置または固有情報そのものを撮像部の撮影画像から認識することを特徴とする請求項１に記載のプレゼンテーションシステム。
【請求項４】
前記固有情報は保持部材に保持されており、この保持部材は、前記ファンクションボードの任意の位置に着脱自在に取り付けられることを特徴とする請求項１〜３のいずれかに記載のプレゼンテーションシステム。
【請求項５】
前記有効化手段は、前記固有情報の位置を前記制御部に識別させる光や電波等の位置信号を送信することを特徴とする請求項１または４に記載のプレゼンテーションシステム。
【請求項６】
前記ファンクションボードには仮想スクリーン用エリアが設けられ、この仮想スクリーン用エリアにポインティングを行うことによって、前記表示手段に表示される画像にポイント画像が合成されることを特徴とする請求項１〜５のいずれかに記載のプレゼンテーションシステム。
【請求項７】
前記プレゼンテーション用機能は、前記ポイント画像の形状設定であることを特徴とする請求項６に記載のプレゼンテーションシステム。
【請求項８】
前記プレゼンテーション用機能は、前記表示手段に表示される画像の出力先の選択、画面のページ送り／戻し、画面の静止、音声発生のうちの少なくとも１つであることを特徴とする請求項１〜７のいずれかに記載のプレゼンテーションシステム。
【発明の詳細な説明】
【０００１】
【発明の属する技術分野】
本発明は、原稿や図面等の資料をスクリーンやディスプレイ等の表示手段に映し、その資料画像を参照しながら聴衆に対して説明を行うプレゼンテーションシステムに関する。
【０００２】
【従来の技術】
スクリーンに資料画像を投影してプレゼンテーションを行う場合、資料画像の投影装置としてはＯＨＰが一般的であったが、近年では、液晶プロジェクタが普及してきている。液晶プロジェクタでは一般的に、パソコン等の外部装置を接続して、その外部装置が保有する画像を表示している。ところが、例えばパソコンを接続した液晶プロジェクタを用いてプレゼンテーションを行う場合、パソコンに近接してマウスやキーボードの操作を行う必要があるので煩わしく、プレゼンテーションを円滑に進行させ難い場合があった。
【０００３】
そこで、パソコンを操作できる機能をリモコンに付加させればこのような問題を解決できるといった観点から、本出願人は、特願平２００１−２３３１５２号や特願平２００２−１８４３２７号で、プレゼンテーション用のレーザポインタとして通常のレーザ光が投射されるレーザポインタモードと、赤外光を発光し、その赤外光のスクリーンに対する照射位置にパソコン操作用のマウス画像を生成するマウスモードとを選択できるリモコン（レーザポインタ）を提案している。
【０００４】
【発明が解決しようとする課題】
上記の提案のように、リモコンに様々な機能を持たせればプレゼンテーションの充実が図られるが、反面、リモコンには多くの機能に応じて部品やボタン類を装備させることになり、このため大型化および重量化を招き、しかも操作が煩雑になることと相まって扱い難いものとなるおそれがあった。また、使用頻度の高い機能はプレゼンターやプレゼンテーションの内容によって異なる場合があり、一方、ボタン類の配列は固定的であるから、プレゼンターによってはリモコンの操作がし難いという問題が生じる。さらに、リモコンを操作するときには視線をリモコンに向けることになり、しかも操作すべきボタン類を探す場合もあるため、円滑なプレゼンテーションを行う上で支障を来すことが想定される。
【０００５】
よって本発明は、リモコンの小型化またはリモコンを不要とすることを可能としながら多機能に対応することができるとともに、プレゼンテーションを円滑に進行させることができるプレゼンテーションシステムを提供することを目的としている。
【０００６】
【課題を解決するための手段】
本発明は、スクリーン等の表示手段に画像を表示するプレゼンテーションシステムにおいて、プレゼンテーション用機能と関連付けられ、該プレゼンテーション用機能を識別するための媒体として設定される固有情報と、この固有情報を保持するファンクションボードと、固有情報を有効とする有効化手段と、この有効化手段で有効とされた固有情報を認識して該固有情報と関連付けられたプレゼンテーション用機能を実行させる制御部とを備えることを特徴としている。
【０００７】
本発明で言うプレゼンテーション用機能とは、表示手段に表示する画像を制御することや、その画像に対してポインティングする際のポイント画像の形状設定等が挙げられる。画像の制御としては、画面のページ送り／戻し、画面の静止等が挙げられ、画像の出力先が複数ある場合は画像の出力先の選択も含まれる。また、プレゼンテーションにおいて音声を出力させる場合には、その音声発生に関する制御もプレゼンテーション用機能とされる。
【０００８】
プレゼンテーションにおいては、複数のプレゼンテーション用機能が状況に合わせて適宜に用いられる。従来ではそのような機能を実行させるボタン類を装備したリモコン等が用いられていたわけであるが、本発明ではそのようなリモコンの代わりとしてファンクションボードが用いられる。このファンクションボードには、固有情報が保持される。固有情報は、プレゼンテーション用機能を識別するための媒体であって、プレゼンテーション用機能ごとに異ならせて設定され、１つのプレゼンテーション機能に対し１つの固有情報が対の状態で関連付けられて制御部に登録される。
【０００９】
本発明では、ファンクションボードに保持された固有情報から、希望するプレゼンテーション用機能に関連付けられた固有情報を選択し、これを制御部に認識させることをもって「固有情報を有効とする」と称する。制御部には、予めプレゼンテーション用機能と固有情報との組み合わせが登録されており、１つの固有情報が有効化されると、その固有情報に関連付けられたプレゼンテーション用機能が実行される。
【００１０】
本発明の固有情報の具体例としては、数字、記号、バーコード等の画像情報や色情報が挙げられる。固有情報がこのような画像情報の場合、固有情報を有効とするには、ファンクションボードを撮影する撮像部で固有情報を撮影することにより可能である。すなわち、固有情報の位置を発光させたり光で位置を示したりして明示することにより、制御部が固有情報を直接読み取って認識することができる。あるいは、事前に固有情報の位置を制御部に認識させておき、明示された固有情報の位置に基づいてその固有情報を認識する形態を採ることもできる。
【００１１】
本発明の有効化手段としては、固有情報の位置を制御部に識別させる光や電波等の位置信号を送信することによっても可能である。この場合、事前に位置信号と固有情報の位置を制御部に認識させておき、固有情報が保持された位置に応じた位置信号を制御部に送信する。
【００１２】
本発明によれば、リモコン操作によらずファンクションボードに保持した固有情報の有効化といった操作により、プレゼンテーション用機能を実行させることができ、多機能にも対応可能である。ファンクションボードを、スクリーン等の表示手段を見るプレゼンターの視界の範囲か、その近傍に配置しておけば、視線の移動が大きくならないのでプレゼンテーション用機能を実行させる操作に停滞が起こりにくく、プレゼンテーションを円滑に進行させることができる。プレゼンテーション用機能の一部を固有情報化してファンクションボードに保持すればリモコンの小型化が図られ、さらに全てを固有情報化すればリモコンを不要とすることができる。
【００１３】
本発明では、上記固有情報をプレート等の保持部材に保持させ、その保持部材をファンクションボードの任意の位置に着脱自在に取り付けられるようにすれば、プレゼンターの希望する位置に固有情報を配置することができる。したがって、使用頻度の高いプレゼンテーション用機能に関連付けられた固有情報を、ファンクションボードの例えば中央など操作しやすい位置に配置することができ、これによって一層円滑化が図られる。なお、上述した光や電波等の位置信号による有効化手段を採用する場合には、上記保持部材を押すとその信号が送信されるように構成すればよい。
【００１４】
本発明では、ファンクションボードに仮想スクリーン用エリアを設け、この仮想スクリーン用エリアにポインティングを行うことによって、表示手段に表示される画像にポイント画像を合成させる形態を付加することができる。
【００１５】
【発明の実施の形態】
以下、図面を参照して本発明の実施形態を説明する。
（１）第１実施形態
図１は、本発明の第１実施形態に係るプレゼンテーションシステムの全体を概略的に示している。同図で符号Ｐはプレゼンター、１０はスクリーン（表示手段）、２０はスクリーン１０に画像を投影する液晶プロジェクタ、３０は三脚に支持された制御ボード、４０は制御ボード３０上に設置された撮像部、５０はパソコン、６０はスタンド６１に支持されたファンクションボード、７０はペンである。
【００１６】
撮像部４０は、制御ボード３０上に設置されるカメラ本体４１と、ズームレンズ４２と、ズームレンズ４２の前面に挿脱自在に取り付けられた光学フィルタ４３とを備えており、ファンクションボード６０を撮影するように設置される。光学フィルタ４３は赤外光のみが透過する赤外光透過フィルタであり、ズームレンズ４２の撮像光路中に対して挿脱自在に取り付けられている。
【００１７】
制御ボード３０内には、図３に示す制御部３１、画像合成部３２、切換器３３、フレームメモリ３４が内蔵されている。液晶プロジェクタ２０からスクリーン１０に投影される画像は、撮像部４０による撮影画像、パソコン５０で生成された画像、制御ボード３０内の内部記憶装置あるいは制御ボード３０に装填されるリムーバル型の外部記憶媒体等に記憶された記憶画像のうちの１つである。これら種類の画像をここではそれぞれ撮像部画像、外部画像、記憶装置画像と称する。これら画像の中から切換器３３により１種が選択され、選択された画像はフレームメモリ３４に一旦蓄積されてから画像合成部３２に入力される。切換器３３による選択は、例えば制御ボード３０に設けられた図示せぬ画像切換スイッチで行われる。画像合成部３２に入力された画像は外部出力部３５を経て液晶プロジェクタ２０に入力し、液晶プロジェクタ２０からスクリーン１０に投影される。
【００１８】
ファンクションボード６０は、ほぼ垂直に立った状態でスタンド６１に取り付けられている。図２に示すように、ファンクションボード６０の前面にはポインティング用の仮想スクリーン１１として用いるエリア６２が設けられており、この仮想スクリーン用エリア６２の下には、複数のファンクションキー８０が配列されている。この場合、ファンクションキー８０は上下２段に４個ずつの状態で計８個が配列されている。仮想スクリーン用エリア６２とファンクションキー８０の配列部分を含めたファンクションボード６０の四隅には、ＬＥＤ等からなる赤外光発光点６３が設けられている。
【００１９】
本システムでは、上記仮想スクリーン１１とペン７０を用いることによって、スクリーン１０の表示画面にポイントを指示する（ポインティング）ことができる。図４に示すように、ペン７０は、先端にＬＥＤ等からなる赤外光を発する指示マーク７１を有し、この指示マーク７１は、スイッチ７２を押してＯＮすることにより発光する。以下に、ポインティング機能の作用を説明する。
【００２０】
まず、制御部３１により、一般的な画像解析法を用いてファンクションボード６０に対応した仮想スクリーン（この場合の仮想スクリーンは、仮想スクリーン用エリア６２とファンクションキー８０の配列部分を含めた矩形状の平面を指す）のＸＹ座標を、次のようにして生成する。四隅の赤外光発光点６３を発光させ、これら赤外光発光点６３を、光学フィルタ４３を撮像光路中に挿入した撮像部４０で撮影する。そして、撮像部４０の撮影画像データから四隅の赤外光発光点６３の位置を認識し、次いで、画像処理によって赤外光発光点６３の位置から仮想スクリーンのＸＹ座標を生成する。これによって赤外光発光点６３を四隅とした矩形状の仮想スクリーンがファンクションボード６０の前面に生成される。
【００２１】
仮想スクリーンを生成した後は、スクリーン座標を生成する。スクリーン座標とは、スクリーン１０に表示される画像のＸ方向とＹ方向の画素数の比に対して対応するように、仮想スクリーンのＸ方向とＹ方向の位置から各方向について演算して求められる。このスクリーン座標は制御部３１で保持される。
【００２２】
ポインティングを行う際には、ファンクションボード６０の仮想スクリーン用エリア６２にペン７０の先端を当てた状態で指示マーク７１を発光させる。この指示マーク７１を、光学フィルタ４３が撮像光路中に挿入された撮像部４０が撮影し、制御部３１はその撮影画像データを基に仮想スクリーン１１（この仮想スクリーン１１は仮想スクリーン用エリア６２に対応した部分である）の座標上での指示マーク７１の位置座標を逐一算出する。そして、制御部３１は算出した指示マーク７１の位置座標に矢印等のポイント画像を生成する。制御部３１で生成されたポイント画像は画像合成部３２に入力され、画像合成部３２は、フレームメモリ３４から入力されている画像にポイント画像を合成する。そしてその合成画像は外部出力部３５を経て液晶プロジェクタ２０に入力し、液晶プロジェクタ２０からスクリーン１０に投影される。
【００２３】
図５は、仮想スクリーンの生成からポインティングまでのプロセスのイメージを示している。同図で４４は撮像部４０の撮影範囲すなわち画角を示しており、この画角４４内に、Ｘ軸（水平軸）およびＹ軸（鉛直軸）を備えた平面として、仮想スクリーン用エリア６２とファンクションキー８０の配列部分を含めた仮想スクリーン１１Ａが生成される。撮像部４０により、指示マーク７１の映像は画像データ上の指示マークデータ７１ａとして読み込まれる。図５の１１Ｂは上記スクリーン座標である。また、９０はスクリーン座標１１Ｂ上に生成されたポイント画像であり、この場合は矢印である。一方、図５の９１はスクリーン１０に表示される画像であり、この表示画像９１とポイント画像９０とが画像合成部３２に入力される。そして、画像合成部３２は、表示画像９１とポイント画像９０を合成し、その合成画像９２が液晶プロジェクタ２０からスクリーン１０に投影されるのである。この場合、ファンクションボード６０の仮想スクリーン用エリア６２にペン７０の先端を当てるので、ポイント画像９０に手振れが生じにくいといった利点がある。
【００２４】
図３に示すように、制御部３１ではプレゼンテーション用機能としてパソコン５０に関する各種コマンドが生成され、そのコマンドは外部出力部３５を経てパソコン５０に入力される。コマンドが入力されると、パソコン５０はそのコマンドを実行する。また、制御部３１は音声データを保有しており、その音声データは外部出力部３５を経てスピーカ３６から発生する。スピーカ３６は、例えば制御ボード３０に内蔵されるか、あるいは外部スピーカが用いられる。
【００２５】
本実施形態では、ファンクションボード６０を用いて次のプレゼンテーション用機能が実行可能である。
▲１▼外部画像を次のページに送る。
▲２▼外部画像を前のページに戻す。
▲３▼外部画像を消す。
▲４▼外部画像を残す。
▲５▼ポイント画像を○にする
▲６▼ポイント画像を短い下線にする。
▲７▼ポイント画像を長い下線にする。
▲８▼ポイント画像を矢印にする。
【００２６】
ファンクションボード６０に配列されたファンクションキー８０は、図６に示すように、ホルダ８１と、このホルダ８１に着脱自在に取り付けられるキートップ（保持部材）８２とから構成される。キートップ８２は、透明あるいは半透明の樹脂等からなる横長の薄い長方形状プレートであって、その表面には、図７（ａ）に示すように上記▲１▼〜▲８▼の機能を表す文字や絵等（ここでは機能表示８３とする）がそれぞれ印刷され、裏面には、表面に印刷された機能表示８３に関連付けられた固有情報として、図７（ｂ）に示すようにバーコード８４が印刷されている。なお、図７は上記▲１▼の機能に関するキートップ８２を例にしたもので、表面には機能表示８３として「送る」が表示され、裏面には「送る」という機能に関連付けられたバーコード８４が印刷されている。ここで、表面の機能表示８３は赤外光が透過する染料または顔料等で印刷されており、裏面のバーコード８４は赤外光が透過しない染料または顔料等で印刷されている。各キートップ８２の裏面に印刷された各バーコード８４はそれぞれパターンが異なっており、１つのプレゼンテーション機能（機能表示８３で表示される機能）に対し１つのバーコード８４が対の状態で関連付けられて制御部に登録されている。
【００２７】
図６に示すように、キートップ８２が着脱自在に取り付けられるホルダ８１は、ファンクションボード６０の前面に固定されたガイド８５に対して前後方向に移動自在に嵌め込まれており、ファンクションボード６０との間に介装された圧縮バネ８６によって常に前方（図６で左方）に付勢されている。ホルダ８１の後方には、後述する機能信号を送信するためのキースイッチ８７と赤外光ランプ８８が配されている。赤外光ランプ８８は、図示せぬ点灯スイッチによってファンクションキー８０ごとに個別に点灯させることができるようになっている。
【００２８】
赤外光ランプ８８を点灯させると、キートップ８２の裏面に印刷されたバーコード８４がシルエットとして浮かび上がる。この状態を、光学フィルタ４３が撮像光路中に挿入された撮像部４０が撮影すると、バーコード８４のみが撮影される。これは、バーコード８４は赤外光が透過しない染料または顔料等で印刷され、表面の文字や絵等は赤外光が透過する染料または顔料等で印刷されていることによる。なお、バーコード８４を全域にわたって明瞭に撮影できるようにする観点から、図６に示すようにキートップ８２の裏面に光拡散板８２ａを貼着させておくとよい。また、複数の赤外光ランプ８８を並べたり、面発光素子を用いたりすることによっても均一な照明光を得ることができる。
【００２９】
制御部３１には、各キートップ８２の裏面に印刷された異なるパターンのバーコード８４ごとに、表面に印刷された機能表示８３が意味する上記▲１▼〜▲８▼のプレゼンテーション用機能が予め関連付けて登録されており、制御部３１は、バーコード８４を識別したらそのバーコード８４に関連付けられたプレゼンテーション用機能を実行させる。
【００３０】
制御ボード３０には準備ボタンが設けられており、この準備ボタンを押すと、制御ボード３０の送信部から光等による準備信号が送信される（いずれも図示略）。送信された準備信号は、図２に示すスタンド６１に設けられた受信部６４で受信される。受信部６４が準備信号を受信すると、ファンクションボード６０は準備の状態となる。また、受信部６４の隣りには光による機能信号を送信する送信部６５が設けられている。圧縮バネ８６に抗してキートップ８２を押すとホルダ８１に押されて上記キースイッチ８７がＯＮになり、これによって機能信号が送信部６５から送信される。機能信号はいずれのファンクションキー８０のキースイッチ８７がＯＮになっても送信され、その機能信号は制御ボード３０の受信部で受信される。制御ボード３０の受信部が機能信号を受信すると、制御部３１は撮像部４０の撮影画像すなわちバーコード８４を識別し、プレゼンテーション用機能を実行させる。
【００３１】
次に、制御部がプレゼンテーション用機能を実行させる作用を説明する。
Ａ．準備から仮想スクリーンの生成、ファンクションキーの機能事前認識
本システムでは、はじめの段階として、図８に示すステップＳ１０１〜ステップＳ１０５のプロセスを経る。そのプロセスは、まず、各キートップ８２に表示されたプレゼンテーション用機能（上記▲１▼〜▲８▼の機能）から使用する機能を選択し、その機能が表面に表示されているキートップ８２を選択する。そして、選択したキートップ８２をファンクションボード６０の各ホルダ８１に嵌め込んでセットする（ステップＳ１０１）。図２は、全てのキートップ８２をセットした状態を示した。
【００３２】
次に、撮像部４０によってファンクションボード６０の全体を撮影する（ステップＳ１０２）。ファンクションボード６０の全体を撮影するには、カメラ本体４１の姿勢を調整してファンクションボード６０の方向に向け、さらにズームレンズ４２の倍率を調整する。次いで、制御ボード３０の準備ボタンを押して準備信号を送信し、ファンクションボード６０を準備の状態とする（ステップＳ１０３）。続いて、制御部３１はファンクションボード６０の前面に上記仮想スクリーン１１Ａを生成し（ステップＳ１０４）、次いで、８個のバーコード８４が仮想スクリーン１１のどの位置にあるかを制御部３１に認識させるファンクションキー８０の機能事前認識を行う（ステップＳ１０５）。仮想スクリーン１１Ａの生成、ファンクションキー８０の機能事前認識は、以下の動作で行う。なお、順序はこの逆であってもかまわない。
【００３３】
ａ．仮想スクリーンの生成
仮想スクリーン１１Ａの生成は上述したが、ここでは図９（ａ）を参照して簡単に説明する。まず、光学フィルタ４３を撮像光路中に挿入して撮像部４０が赤外光のみを撮影可能な状態とし（ステップＳ２０１）、次いで、ファンクションボード６０の四隅の赤外光発光点６３を発光させる（ステップＳ２０２）。四隅の赤外光発光点６３を撮像部４０で撮影し、撮影画像データから四隅の赤外光発光点６３の位置を認識し、次いで、画像処理によって赤外光発光点６３の位置に基づき仮想スクリーン１１ＡのＸＹ座標を生成する（ステップＳ２０３）。この後、赤外光発光点６３を消光させる（ステップＳ２０４）。
【００３４】
ｂ．ファンクションキーの機能事前認識
図９（ｂ）に示すように、まず、光学フィルタ４３を撮像光路中に挿入して撮像部４０が赤外光のみを撮影可能な状態とし（ステップＳ３０１）、１つのファンクションキー８０に対応する赤外光ランプ８８を図示せぬ点灯スイッチにより点灯させる（ステップＳ３０２）。次に、赤外光ランプ８８の点灯によってキートップ８２にシルエットとして表示されるバーコード８４を撮像部４０が撮影する（ステップＳ３０３）。制御部３１は仮想スクリーン１１Ａにおけるバーコード８４の位置を認識し（ステップＳ３０４）、これにより、仮想スクリーン１１Ａにおける１つのバーコード８４の位置と、その位置にあるバーコード８４に関連付けられたプレゼンテーション用機能を制御部３１が事前に認識する。続いてステップＳ３０２〜Ｓ３０４を各ファンクションキー８０ごとに行い、残りのバーコード８４の位置およびプレゼンテーション用機能を制御部３１に認識させる。
【００３５】
Ｂ．プレゼンテーション中のバーコードの有効化
以上はプレゼンテーションを行う前の準備作業であり、次に、図１０を参照して実際にプレゼンテーションを行う場合にバーコード８４を有効化させる動作を説明する。図１０（ｂ）に示すように、まず、光学フィルタ４３を撮像光路中に挿入して撮像部４０が赤外光のみを撮影可能な状態とし（ステップＳ４０１）、ペン７０の指示マーク７１を発光させ（ステップＳ４０２）、ペン７０の先端で希望するプレゼンテーション用機能が表示されたキートップ８２を押す（ステップＳ４０３）。すると、キースイッチ８７がＯＮとなり、機能信号が送信部６５から送信される（ステップＳ４０４）。機能信号は制御ボード３０の受信部で受信され、これをもって制御部３１は撮像部４０が撮影する指示マーク７１の位置からバーコード８４の種類を識別し（ステップＳ４０５）、そのバーコード８４に関連付けられたプレゼンテーション用機能を実行させる（ステップＳ４０６）。
【００３６】
この場合、ファンクションボード６０で実行されるプレゼンテーション用機能は上記▲１▼〜▲８▼であるが、▲１▼〜▲４▼は外部画像に関するものであり、液晶プロジェクタ２０から投影される画像を外部画像としている場合に用いる。例えば▲１▼の機能すなわち外部画像のページ送りを行いたい場合は、指示マーク７１を発光させたペン７０の先端で「送る」のキートップ８２を押す。すると、制御部３１は指示マーク７１の位置からプレゼンテーション用機能が「外部画像のページ送り」であると認識し、そのコマンドをパソコン５０に送る。パソコン５０ではページが次の画像に送られ、その画像が液晶プロジェクタ２０から投影される。▲２▼〜▲４▼のプレゼンテーション用機能についても、これら機能に対応するキートップ８２を発光する指示マーク７１の部分で押すことにより制御部３１からパソコン５０にコマンドが送られ、コマンドに応じたプレゼンテーション用機能が実行される。
【００３７】
また、上記▲５▼〜▲８▼はペン７０の指示マーク７１によってポインティングを行う場合のポイント画像の設定に関するものである。例えば▲７▼の機能すなわちポイント画像を長い下線にしたい場合は、指示マーク７１を発光させたペン７０の先端で「長い下線」のキートップ８２を押す（図１０（ａ）はその状態を示している）。すると、制御部３１は指示マーク７１の位置からプレゼンテーション用機能が「ポイント画像を長い下線にすること」と認識し、ポイント画像を長い下線に生成する。そのポイント画像は画像合成部３２で画像合成部３２に入力する画像と合成され、ポイント画像が付加された合成画像が液晶プロジェクタ２０から投影される。
【００３８】
上記実施形態では、ファンクションボード６０に設けたファンクションキー８０のキートップ８２をペン７０の指示マーク７１の部分で押すことにより、制御部３１がバーコード８４を識別し、そのバーコード８４に関連付けられたプレゼンテーション用機能を実行させる。ファンクションボード６０を、スクリーン１０を見るプレゼンターＰの視界の範囲か、その近傍に配置しておくことにより、視線の移動が大きくならないので、従来のようにリモコンによってプレゼンテーション用機能を実行させる場合に比べると停滞が起こりにくく、プレゼンテーションを円滑に進行させることができる。また、プレゼンテーション用機能を実行させるリモコンを付属させる場合、プレゼンテーション用機能の一部を上記のようにファンクションボード６０のファンクションキー８０で実行可能に設定すればリモコンの小型化が図られ、さらに全てを実行可能に設定すればリモコンが不要となる。
【００３９】
ファンクションキー８０のキートップ８２はホルダ８１に着脱自在に取り付けられ、これは任意の位置にバーコード８４を配置することができるということに他ならない。したがって、使用頻度の高いプレゼンテーション用機能に関連付けられたバーコード８４が印刷されたキートップ８２を操作しやすい位置に配置することができ、これによってプレゼンテーションの円滑化がより図られる。
【００４０】
図１１（ａ）は、上記実施形態で用いることができるファンクションキーの変更例を示している。このファンクションキー８０に取り付けられるキートップ８２は、図１１（ｂ）に示すように、表面に、プレゼンテーション用機能を表す機能表示８３とバーコード８４の両方が、赤外光が透過しない染料または顔料等で印刷されており、裏面には何も印刷されておらず、光拡散板も貼着されていない。また、このキートップ８２を用いる場合のファンクションキー８０では、図１１（ａ）に示すように赤外光ランプ８８を設ける必要がない。
【００４１】
図１１に示したキートップ８２を備えたファンクションキー８０に対する機能事前認識は、図１２に示すプロセスで行われる。すなわち、光学フィルタ４３を撮像光路中から外し（ステップＳ５０１）、撮像部４０でキートップ８２に表示されたバーコード８４を撮影し（ステップＳ５０２）、仮想スクリーン１１Ａにおけるバーコード８４の位置を認識する（ステップＳ５０３）。これにより、仮想スクリーン１１Ａにおけるバーコード８４の位置を事前に認識する。このキートップ８２を用いても、上記実施形態と同様の方法でバーコード８４を有効化させることができる。
【００４２】
この変更例は、キートップ８２の表面に印刷されたバーコード８４を直接読み取ることにより制御部３１がプレゼンテーション用機能を認識するものであり、ファンクションキー８０に赤外光ランプ８８を設ける必要がなく、これに伴って、キートップ８２の表面に印刷するプレゼンテーション用機能を表す機能表示８３およびバーコード８４を、可視的な染料や顔料で印刷することができるとともに、キートップ８２の裏面に光拡散板を貼着する必要もない。したがって、安価で構成することができ、コスト的に有利である。
【００４３】
続いて、バーコード８４を有効化させる手段を変更させた本発明の他の実施形態を説明する。
【００４４】
（２）第２実施形態：ペンから機能信号を送信する
図１３（ａ）は第２実施形態によるバーコード８４の有効化の状態を示しており、図１３（ｂ）はその動作を示している。第２実施形態では、図１３（ａ）に示すようにペン７０にファンクションキー７３が設けられており、このファンクションキー７３を押すと、ペン７０の指示マーク７１から、送信部６５より送信される信号と同種の光が発光して機能信号が送信される。
【００４５】
第２実施形態におけるバーコード８４の有効化は、図１３（ｂ）に示すように、はじめに光学フィルタ４３を撮像光路中に挿入し（ステップＳ６０１）。次に、図１３（ａ）に示すようにペン７０の指示マーク７１を希望するプレゼンテーション用機能が表示されたキートップ８２の上に重ね（ステップＳ６０２）、ペン７０のファンクションキー７３を押して指示マーク７１を発光させる（ステップＳ６０３）。すると、機能信号が指示マーク７１から送信される（ステップＳ６０４）。機能信号は制御ボード３０の受信部で受信され、これをもって制御部３１は撮像部４０が撮影する指示マーク７１の位置からバーコード８４の種類を識別し（ステップＳ６０５）、そのバーコード８４に関連付けられたプレゼンテーション用機能を実行させる（ステップＳ６０６）。
【００４６】
（３）第３実施形態：ファンクションキー固有の位置信号を送信する
図１４（ａ）は第３実施形態によるバーコード８４の有効化の状態を示しており、図１４（ｂ）はその動作を示している。第３実施形態では、ファンクションボード６０のファンクションキー８０のキートップ８２を押してキースイッチ８７がＯＮになると、ファンクションキー８０ごとに固有の位置信号が送信部６５から送信される。すなわち、この場合のファンクションキー８０は８個設けられているので位置信号は８種類設定され、それら位置信号はファンクションキー８０の位置を表す信号である。制御ボード３０の制御部３１では、それら位置信号がどこのファンクションキー８０に対応するものかを識別する。ファンクションキー８０の機能事前認識としては、上記のようにして撮像部４０で撮影したバーコード８４と位置信号とが関連付けられる。
【００４７】
バーコード８４を有効化させるには、図１４（ｂ）に示すように、希望するプレゼンテーション用機能が表示されたキートップ８２を指またはペン７０の先端で押す（ステップＳ７０１）。図１４（ａ）は指でキートップ８２を押している状態を示している。キートップ８２が押されると、ファンクションキー８０に応じた位置信号が送信部６５から送信される（ステップＳ７０２）。位置信号は制御ボード３０の受信部で受信され、制御部３１は位置信号の種類からどの位置のファンクションキー８０であるかを識別し（ステップＳ７０３）、これに基づいて事前に認識したバーコード８４の種類を識別し（ステップＳ７０４）、そのバーコード８４に関連付けられたプレゼンテーション用機能を実行させる（ステップＳ７０５）。
【００４８】
なお、上記第２および第３実施形態では、図１１（ａ），（ｂ）に示したファンクションキー８０およびキートップ８２を用いても同様の作用を得ることができる。
【００４９】
第３実施形態によれば、ファンクションキー８０の機能事前認識を行った後は、撮像部４０がファンクションボード６０を撮影することなくバーコード８４を有効化させることができる。このため、ポインティング用の仮想スクリーンをファンクションボード６０以外の任意の空間等に生成することができるといった利点を有する。
【００５０】
（４）第４実施形態：バーコードを直接読み取る
図１５（ａ）は第４実施形態によるバーコード８４の有効化の状態を示しており、図１５（ｂ）はその動作を示している。また、図１６（ａ），（ｂ）はそれぞれ第４実施形態のファンクションキー８０およびキートップ８２を示している。この場合のキートップ８２は、図１６（ｂ）に示すように、表面の中央にプレゼンテーション用機能を表す機能表示８３が印刷され、この機能表示８３の左右に、プレゼンテーション用機能と関連付けられた同じパターンのバーコード８４がそれぞれ印刷されている。機能表示８３は赤外光が透過する染料または顔料等で印刷されており、バーコード８４は赤外光が透過しない染料または顔料等で印刷されている。機能表示８３が印刷される部分には、キートップ８２を押しやすく、かつ押す部分を制限できるようにする目的で楕円形状の凹所８２ｂが形成されており、この凹所８２ｂの左右に同じパターンのバーコード８４が表示されている。
【００５１】
ファンクションキー８０は、図１６（ａ）に示すように第１実施形態と同様の構成であるが、この場合のキースイッチ８７Ｂは赤外光ランプ８８の点灯スイッチである。すなわち、キートップ８２を押してキースイッチ８７ＢがＯＮになると赤外光ランプ８８が点灯し、キートップ８２を離すとキースイッチ８７ＢはＯＦＦとなって赤外光ランプ８８は消灯する。
【００５２】
バーコード８４を有効化させるには、図１５（ｂ）に示すように、はじめに光学フィルタ４３を撮像光路中に挿入し（ステップＳ８０１）、次に、希望するプレゼンテーション用機能が表示されたキートップ８２を押す（ステップＳ８０２）。すると、キースイッチ８７ＢがＯＮとなって赤外光ランプ８８が点灯し、バーコード８４がシルエットとして浮かび上がる（ステップＳ８０３）。撮像部４０においては撮像光路中に光学フィルタ４３が挿入されているので、押されたキートップ８２に表示されたバーコード８４のみが撮像部４０で撮影される。制御部３１は撮像部４０の撮影画像データからバーコード８４の種類を識別し（ステップＳ８０４）、そのバーコード８４に関連付けられたプレゼンテーション用機能を実行させる（ステップＳ８０５）。
【００５３】
なお、キートップ８２を押す際は中央の凹所８２ｂを押す。凹所８２ｂの左右に同じバーコード８４が表示されているので、一方のバーコード８４が指で隠れても他方のバーコード８４を撮影することができる。キートップ８２を押す指は凹所８２ｂに引っ掛かりずれにくいので、バーコード８４を確実に撮影することができる。また、バーコード８４を確実に撮影する上で、キートップ８２を離してキースイッチ８７ＢがＯＦＦとなっても赤外光ランプ８８が一定時間点灯するように構成するとよい。
【００５４】
図１７は、上記第４実施形態のファンクションキー８０に用いることができるキートップ８２の変更例を示している。このキートップ８２は、図１７（ａ）に示すように表面の凹所８２ｂにプレゼンテーション用機能を表す機能表示８３が印刷され、裏面に、図１７（ｂ）に示すように同じパターンのバーコード８４が表面の凹所８３ｂの両側に配置された状態で印刷されている。この場合も、表面の機能表示８３は赤外光が透過する染料または顔料等で印刷されており、裏面のバーコード８４は赤外光が透過しない染料または顔料等で印刷されている。このキートップ８２を用いても、上記と同様の方法でバーコード８４を有効化させることができる。
【００５５】
第４実施形態によれば、押されたキートップ８２に印刷されているバーコード８４を撮像部４０が撮影し、その撮影画像データから制御部３１が直接バーコード８４を識別してプレゼンテーション用機能を実行させるので、機能事前認識が不要になるとともに、機能信号等の送信も不要となる。その結果、構成が簡素となりコスト的に有利である。
【００５６】
上記実施形態では、ファンクションボード６０で実行可能なプレゼンテーション用機能は８通りであり、これに応じてキートップ８２を８個としているが、プレゼンテーション用機能の数やその内容についてはこれに限定されず任意に設定することができる。例えばスクリーン１０に表示される画像を切り換える切換器３３は制御ボード３０に設けられた図示せぬ画像切換スイッチで行うようにしているが、画像の切り換えをファンクションボード６０に設けたファンクションキー８０で行うように構成することができる。したがって、記憶装置画像や撮像部画像に対しても、上記外部画像のようにページ送り等のプレゼンテーション用機能を実行させることができる。
【００５７】
【発明の効果】
以上説明したように、本発明によれば、ファンクションボードに保持した固有情報を有効化させることにより固有情報と関連付けられたプレゼンテーション用機能が実行されるので、プレゼンテーション用機能を実行させるために従来用いていたリモコンの小型化またはリモコンを不要とすることが可能となり、しかも多機能に対応することができるとともに、プレゼンテーションを円滑に進行させることができるといった効果を奏する。
【図面の簡単な説明】
【図１】本発明の第１実施形態に係るプレゼンテーションシステムの全体概略図である。
【図２】ファンクションボードの正面図である。
【図３】システムの機能ブロック図である。
【図４】ペンの側面図である。
【図５】仮想スクリーンの設定からポインティングまでのプロセスのイメージを示す図である。
【図６】ファンクションキーの側断面図である。
【図７】キートップの（ａ）表面図、（ｂ）裏面図である。
【図８】システムの準備段階の動作を示すフローチャートである。
【図９】（ａ）仮想スクリーンの生成動作を示すフローチャート、（ｂ）ファンクションキーの機能事前認識の動作を示すフローチャートである。
【図１０】第１実施形態のファンクションキーを有効化させる動作を示す図であって、（ａ）はファンクションボード、（ｂ）はフローチャートである。
【図１１】第１実施形態のファンクションキーの変更例を示す図であって、（ａ）ファンクションキーの断面図、（ｂ）キートップの表面図である。
【図１２】図１１のファンクションキーの機能事前認識の動作を示すフローチャートである。
【図１３】第２実施形態のファンクションキーを有効化させる動作を示す図であって、（ａ）はファンクションボード、（ｂ）はフローチャートである。
【図１４】第３実施形態のファンクションキーを有効化させる動作を示す図であって、（ａ）はファンクションボード、（ｂ）はフローチャートである。
【図１５】第４実施形態のファンクションキーを有効化させる動作を示す図であって、（ａ）はファンクションボード、（ｂ）はフローチャートである。
【図１６】第４実施形態の（ａ）ファンクションキーの側断面図、（ｂ）キートップの表面図である。
【図１７】第４実施形態のキートップの変更例を示す図であって、（ａ）キートップの表面図、（ｂ）キートップの裏面図である。
【符号の説明】
１０…スクリーン（表示手段）
４０…撮像部
６０…ファンクションボード
６２…仮想スクリーン用エリア
８０…ファンクションキー
８２…キートップ（保持部材）
８４…バーコード（固有情報）
【図１】
2004144875.tif 000003
【図２】
2004144875.tif 000004
【図３】
2004144875.tif 000005
【図４】
2004144875.tif 000006
【図５】
2004144875.tif 000007
【図６】
2004144875.tif 000008
【図７】
2004144875.tif 000009
【図８】
2004144875.tif 000010
【図９】
2004144875.tif 000011
【図１０】
2004144875.tif 000012
【図１１】
2004144875.tif 000013
【図１２】
2004144875.tif 000014
【図１３】
2004144875.tif 000015
【図１４】
2004144875.tif 000016
【図１５】
2004144875.tif 000017
【図１６】
2004144875.tif 000018
【図１７】
2004144875.tif 000019